(57)【要約】【課題】網戸の強度を向上させると共に建物の壁面に沿って流れる風を室内に誘導することができるようにする。【解決手段】断面形状を略ロ形状となるように内側に貫通孔５ａを形成した支持部材５を、網戸１の上下両端部に設けられる横框１ａの中央部分の外側にそれぞれ貼り付ける。断面形状を略Ｈ形状として横方向から流れてくる風を直角方向に誘導できるようにしてある補強部材２の上下両端部にそれぞれ係止部３，４を設け、上記支持部材５の貫通孔５ａに、各係止部３，４を嵌合させて補強部材２を支持部材５に支持させるようにする。補強部材２を網戸１の上下の横框１ａに取り付けることにより、上下の横框１ａや左右の縦框１ｂが互いに相対変位するのを防ぐことができ、網戸１の強度を向上させることができる。又、同時に、建物の壁面に沿って流れる風を、上記補強部材２の略Ｈ形状に沿わせて流せられるので、該風を室内に確実に導くことができる。【選択図】図１
0003156050.tif 000002
【実用新案登録請求の範囲】
【請求項１】
網戸の上下の横框に上下両端部を固定できるように上下方向に延びる補強部材を、建物に沿って流れる風を内側に屈折させて室内に誘導するように形成してなり、且つ該補強部材を網戸の外側に位置させて、該補強部材の上下両端部を、網戸の上下の横框に取り付けて網戸の表面に沿って流れる風を室内側へ誘導させながら網戸を補強するようにした構成を有することを特徴とする網戸の補強装置。
【請求項２】
補強部材の上下両端部に係止部を設けて、該係止部を網戸の横框にそれぞれ取り付けた支持部材に保持させるようにして補強するようにした請求項１記載の網戸の補強装置。
【請求項３】
補強部材を、板部材により断面形状が略Ｈ形状となるように形成し、且つ該略Ｈ形状のコーナ部を全長に亘り円弧面を有する構成とした請求項１又は２記載の網戸の補強装置。
【請求項４】
補強部材の平行に延びる板部材のうちの１つの板部材の幅寸法を他の板部材の幅寸法よりも小さくし且つ該幅狭とした１つの板部材の長手方向の両端側を他の板部材の長さよりも長くなるように突出させ、該突出部を係止部として支持部材に固定できるようにした請求項３記載の網戸の補強装置。
【請求項５】
支持部材を、内側に一方向に貫通する貫通孔を有する直方体状のブロックとして、網戸の横框に固定又は着脱自在に取り付けるようにした請求項２，３又は４記載の網戸の補強装置。
【考案の詳細な説明】
【技術分野】
【０００１】
本考案は、網戸の強度を向上させると共に建物の壁面に沿って流れる風を室内に誘導させるようにするために用いる網戸の補強装置に関するものである。
【背景技術】
【０００２】
一般に、網戸１は、図６にその一例の概略を示す如く、上下の横框１ａと左右の縦框１ｂとを四角形状に組み立てて形成される枠内の空間部に、上記縦框１ｂと横框１ａに網１ｃの端縁部をそれぞれ取り付けて展張させてなる構成のものとしてあり、該網戸１の上下の横框１ａに設けられるレール溝１ｄを、図６において二点鎖線で示す窓枠９内面の上下に設けられる図示してないレールにそれぞれスライド自在に嵌め合わせることにより、網戸１を窓枠９に設置できるようにしてある。
【０００３】
上記構成としてある網戸１は、図６に示す如く、窓１０を開けた後に、網戸１を該窓１１が開けられている側に位置させることにより使用状態とすることができようにしてある。このように網戸１を使用により、自然の風を建物の室内に取り込むことができると同時に虫などが室内へ侵入するのを防ぐようにしてある。
【考案の概要】
【考案が解決しようとする課題】
【０００４】
ところが、図６に示したような構成の網戸１では、たとえば、横框１ａと縦框１ｂとの結合部であるコーナ部が強固に固定されていないため、上下の横框１ａや左右の縦框１ｂが互いに相対変位して網戸１が斜めに変形してしまうことがあり、網１ｃが破れる等、強度の面で問題がある。
【０００５】
又、上記したような網戸１では、建物に向かって吹いてくる風を室内に取り込むことはできるが、建物の壁面に沿って流れる風を室内に取り込むことができない。
【０００６】
そこで、本考案は、網戸の強度を向上させると共に建物の壁面に沿って流れる風を容易に室内に誘導することができる網戸の補強装置を提供しようとするものである。
【課題を解決するための手段】
【０００７】
本考案は、上記課題を解決するために、請求項１に対応して、網戸の上下の横框に上下両端部を固定できるように上下方向に延びる補強部材を、建物に沿って流れる風を内側に屈折させて室内に誘導するように形成してなり、且つ該補強部材を網戸の外側に位置させて、該補強部材の上下両端部を、網戸の上下の横框に取り付けて網戸の表面に沿って流れる風を室内側へ誘導させながら網戸を補強するようにした構成とする。
【０００８】
又、請求項２に対応して、補強部材の上下両端部に係止部を設けて、該係止部を網戸の横框にそれぞれ取り付けた支持部材に保持させるようにして補強するようにした構成とする。
【０００９】
更に、請求項３に対応して、上記請求項１又は２における、補強部材を、板部材により断面形状が略Ｈ形状となるように形成し、且つ該略Ｈ形状のコーナ部を全長に亘り円弧面を有する構成とする。
【００１０】
更に又、請求項４に対応して、上記請求項３における、補強部材の平行に延びる板部材のうちの１つの板部材の幅寸法を他の板部材の幅寸法よりも小さくし且つ該幅狭とした１つの板部材の長手方向の両端側を他の板部材の長さよりも長くなるように突出させ、該突出部を係止部として支持部材に固定できるようにした構成とする。
【００１１】
又、請求項５に対応して、上記請求項２，３又は４における、支持部材を、内側に一方向に貫通する貫通孔を有する直方体状のブロックとして、網戸の横框に固定又は着脱自在に取り付けるようにした構成とする。
【考案の効果】
【００１２】
本考案の網戸の補強装置によれば、以下の如き優れた効果を発揮する。 
（１）網戸の上下の横框に上下両端部を固定できるように上下方向に延びる補強部材を、建物に沿って流れる風を内側に屈折させて室内に誘導するように形成してなり、且つ該補強部材を網戸の外側に位置させて、該補強部材の上下両端部を、網戸の上下の横框に取り付けて網戸の表面に沿って流れる風を室内側へ誘導させながら網戸を補強するようにした構成としてあるので、たとえば、上下の横框や左右の縦框が互いに相対変位するような外力が作用した場合でも補強部材によりかかる相対変位するのを防ぐことができ、又、荷重が網戸に対して水平方向にかかるようなことがあっても、該荷重を網戸の両側の縦框に加えて更に補強部材で受けることができるので、網戸の強度を向上させることができる。又、補強部材は、建物に沿って流れる風を内側に屈折させて室内に誘導するように形成してあるので、建物の壁面に沿って流れる風を建物の室内に誘導することができ、外気と内気の対流が生じて該室内の温度を下げることができる。更に、網戸を持ち運ぶ際や持ち運び時等には、補強部材を取手として利用することができて、持ち運びや取り扱いが楽である。 
（２）又、補強部材の上下両端部に係止部を設けて、該係止部を網戸の横框にそれぞれ取り付けた支持部材に保持させるだけで補強するようにした構成としてあるので、補強部材を網戸の横框に簡単に且つ着脱自在に取り付けることができると共に、少ない部品点数で網戸の補強を行うことができ、既存の網戸に対して容易且つ簡単に取り付けて補強を行わせることができる。 
（３）更に、補強部材を、板部材により断面形状が略Ｈ形状となるように形成し、且つ該略Ｈ形状のコーナ部を全長に亘り円弧面を有する構成としてあるので、補強部材自体を高剛性のものとすることができると共に、建物の壁面に沿って流れる風を補強部材の全長に延びる円弧面に沿わせて流すことができるので、確実に風を建物の室内に導くことができる。 
（４）更に又、補強部材の平行に延びる板部材のうちの１つの板部材の幅寸法を他の板部材の幅寸法よりも小さくし且つ該幅狭とした１つの板部材の長手方向の両端側を他の板部材の長さよりも長くなるように突出させ、該突出部を係止部として支持部材に固定できるようにした構成としてあるので、支持部材は平板状の係止部を支持するだけでよく、支持部材を小型化、軽量化できる。 
（５）又、支持部材を、内側に一方向に貫通する貫通孔を有する直方体状のブロックとして、網戸の横框に固定又は着脱自在に取り付けるようにした構成としてあるので、製作が容易で、既存の網戸に容易に取り付けることができる。
【図面の簡単な説明】
【００１３】
【図１】本考案の網戸の補強装置の実施の一形態を示す概略斜視図である。
【図２】本考案の網戸の補強装置における補強部材と係止部を示すもので、（イ）は概略斜視図、（ロ）は（イ）の側面図、（ハ）は（イ）の概略正面図である。
【図３】図１の網戸の補強装置における網戸の上端部側の横框に貼り付けた支持部材を拡大して示すもので、（イ）は支持部材に補強部材の係止部を固定する状態の一例を示す部分拡大側面図、（ロ）は支持部材の概略斜視図である。
【図４】図１の網戸の補強装置の網戸への取り付け手順の一例を示すもので、（イ）は支持部材を網戸に貼り付けた状態を示す概略側面図、（ロ）は上側の係止部を支持部材の貫通孔に挿入して上方に持ち上げた状態を示す概略側面図、（ハ）は下側の係止部を支持部材の貫通孔に挿入して嵌合させた状態を示す概略側面図である。
【図５】本考案の網戸の補強装置の実施の他の例を示すもので、（イ）は支持部材の概略正面図、（ロ）は（イ）の概略平面図である。
【図６】従来の網戸の一例の概略図を示すものである。
【考案を実施するための形態】
【００１４】
以下、図面に基づき本考案を実施するための形態を説明する。
【００１５】
図１乃至図４（イ）（ロ）（ハ）は本考案の実施の一形態を示すもので、建物の窓形成部に設けられている窓枠１０に設けられたレールに沿い移動自在に組み付けられている横開き式の窓の外側に、左右の窓のいずれかを開けたときに開放部を覆うように設置されている網戸１に適用するものである。
【００１６】
網戸１は、前記した図６に示すものと同様に、上下の横框１ａと左右の縦框１ｂとを四角形状に組み立てて形成される枠内の空間部に、上記縦框１ｂと横框１ａに網１ｃの端縁部をそれぞれ取り付けて展張させてなる構成のであり、該網戸１の中央部分に、本考案の網戸の補強装置を取り付けるようにする。
【００１７】
本考案の網戸の補強装置は、上下方向に延び且つ、建物の壁面に沿って流れる風を室内に誘導することができるように形成してある該補強部材２の上下両端部を、網戸１の上下の横框１ａの各外表面にそれぞれ取り付けるようにした構成とする。
【００１８】
詳述すると、上記補強部材２は、図１、図２（イ）に示す如く、網戸１の上下の横框１ａ，１ａ間の寸法に対応する長さを有する板部材２ａ及び２ｂと、これら各板部材２ａ，２ｂよりも長い寸法とした板部材２ｃとからなり、且つ上記板部材２ｂの幅方向両端面に、上記板部材２ａと２ｃの各幅方向の中央部を直角方向に当接させて長手方向に平行に配置し、各板部材２ａ，２ｂ，２ｃの当接部分を隅肉溶接の如く一体化させて断面形状が略Ｈ形状をなすようにしてそれ自体が剛性を有する構成とする。更に、上記補強部材２は、板部材２ａと２ｂの接合部のコーナ部に、該板部材２ａの幅方向の端部から上記板部材２ｂの幅方向の中間位置まで達する所要半径の円弧面２ｄを形成し、板部材２ｂに正対する方向から流れてくる風を円弧面２ｄにより該板部材２ｂに沿うように屈折させて流すように誘導させるような構成とすると共に、板部材２ｃは、他の板部材２ａ，２ｂの長さ寸法より長くして、上下両端部を板部材２ｂの端よりも上下方向に突出させるようにし、各突出部がそれぞれ係止部３，４としてあり、上端側の係止部３は、下端側の係止部４の長さよりも後述する支持部材５の上下方向の厚み寸法分だけ長くしてある。
【００１９】
上記補強部材２を構成する板部材２ａ，２ｂ，２ｃは、幅方向の寸法を異にし、板部材２ｃの幅寸法は、板部材２ａ，２ｂに比して小さくし、板部材２ａと２ｂのコーナ部に形成された円弧面２ｄに沿い誘導される風の流れが、板部材２ｃで阻害されることがないようにしてある。なお、説明の便宜上、図１では、補強部材２を大きく示しているが、実際には、図示した網戸１とのバランス上、板部材２ａ，２ｂ，２ｃの幅寸法は小さいものとしてある。
【００２０】
又、本考案の網戸の補強装置は、上記板部材２ａ，２ｂ，２ｃからなる補強部材２における板部材２ｃの両端部の係止部３，４を保持させて、補強部材２の上下両端部を網戸１の上下の横框１ａに取り付けるようにする支持部材５を有する。
【００２１】
上記支持部材５は、図１に一例を示す如く、上記補強部材２の上下の各係止部３，４の幅寸法に対応し且つ該係止部３，４の厚み寸法よりも広い空洞となるようにした断面矩形状の貫通孔５ａを一方向に有する直方体のブロックとし、上記貫通孔５ａの長手方向の幅寸法は、係止部３，４を僅かな隙間で嵌入できるよう係止部３，４の幅寸法に対応した寸法とする。又、上記貫通孔５ａの長手方向と直交する方向の幅寸法は、係止部３，４のうち、特に上端側の係止部３が斜めになっても嵌入できるように係止部３の厚み寸法よりも広幅寸法としてある。更に、上記支持部材５を、貫通孔５ａの軸心方向が上下方向に延び且つ断面矩形状の貫通孔５ａ幅寸法が左右方向に長く延びるような姿勢としたときの前面側となる一側面には、図３（ロ）に示す如く該一側面から貫通孔５ａ内に貫通するねじ孔５ｂが設けるようにし、該ねじ孔５ｂに、係止部３，４を押えるための押え用ねじ６が、図３（イ）のように外側から螺合させるようにしてあり、又、上記支持部材５の裏面側となる反対側の面は網戸１の上下の横框１ａに接着剤を用いた貼着により取り付けるようにしてある。
【００２２】
本考案の網戸の補強装置を、網戸１に取り付けて該網戸１の補強を行い、建物の壁面に沿って流れる風を有効に網戸１を通して室内に取り込むようにする場合は、本考案の網戸の補強装置を使用しようとする網戸１の中央部分における上下の各横框１ａの前側面に、内部に形成した貫通孔５ａが上下に開口し且つ前面にねじ孔５ｂが位置するように支持部材５を配置し、該各支持部材５の裏面側を横框１ａの前側面に接着剤等を用いて貼着し、図３（イ）、図４（イ）のように横框１ａと一体となるように取り付けるようにする。
【００２３】
次に、補強部材２を、上端部と下端部に係止部３と４を突出させている板部材１ｃ側が内側、すなわち、網戸１側となるように直立させ、図４（ロ）に示す如く、上側の係止部３を、網戸１の上端部側の横框１ａに取り付けた支持部材５の貫通孔５ａに挿入して、上記補強部材２の板部材１ｂの上端部が支持部材５の下端面に接触するまで下から持ち上げた後、図４（ロ）において矢印で示す如く、網戸１側に、補強部材２の下端側を移動させて、下側の係止部４を下側の横框１ａに取り付けた支持部材５の上方に位置させるようにする。次いで、補強部材２を下方へ移動させて、図４（ハ）に示す如く、上記下側の係止部４を網戸１の下端部側の横框１ａに取り付けた支持部材５の貫通孔５ａに挿入し、補強部材２の板部材２ｂの下端面を上記支持部材５の上面に支持させて、該支持部材５に上記補強部材２を支持させるようにする。しかる後、図３（イ）に示す如く、必要に応じて、各支持部材５に設けたねじ孔５ｂに、押え用ねじ６を螺合させて、支持部材５の貫通孔５ａと各係止部３，４との間の遊びによるがたつきを無くすようにする。なお、上下の支持部材５のうち、上部の支持部材５についてのみ図３（イ）に示すように押え用ねじ６により補強部材２の上端部の係止部３を固定するようにしてもよい。
【００２４】
上記のように補強部材２の上下両端側の係止部３，４を、網戸１の上下の横框１ａに取り付けられた支持部材５に支持させることにより本考案の網戸の補強装置が網戸１に取り付けられると、本考案の網戸の補強装置により網戸１の中央部分が補強され、たとえば、上下の横框１ａや左右の縦框１ｂが互いに相対変位するような荷重が作用した場合でも相対変位することを防止することができて、安定よく網戸１を窓枠のレールに沿い移動させることが可能となる。この際、網戸１は、本考案の網戸の補強装置の補強部材２を把持して網戸１の移動を行わせることができるので、図６に示すような従来の網戸１に比して網戸１の取り扱いが容易となる。
【００２５】
又、本考案の網戸の補強装置は、上記のような網戸１の補強機能を有すると同時に、補強部材２の前方に突出している板部材２ａと２ｂの両コーナ部が長手方向全長に亘って円弧面２ｄとなっていて、網戸１の表面に沿って横方向に流れて板部材２ｂに向って流れてくる風を、板部材２ａと板部材２ｂとのコーナ部の全長に延びる円弧面２ｄに沿わせて積極的に内側の板部材２ｃに誘導させることができる。これにより建物の壁面に沿って流れる風を、確実に網戸１を通して室内に取り込むことができ、該室内の温度を下げることができる。更に、網戸１の中央部分を上下方向に補強部材２が遮るだけなので、室内から網戸１を閉めた状態で外を見ても違和感はない。
【００２６】
本考案の網戸の補強装置は、補強部材２を、網戸１の上下の横框１ａに取り付けた支持部材５に係止させて支持させるようにしてあることから、網戸１から取り外すときは、たとえば、補強部材２の上端側を支持部材５に固定している押え用ねじ６を外してから、補強部材２を持ち上げて、下端側の係止部４を下側の横框１ａに固定されている支持部材５の貫通孔５ａより抜き出した後、補強部材２を図４（ロ）に示すように下端側の係止部４を支持部材５の外側に位置させるようにする。しかる後、補強部材２を下方へ移動させて上端側の係止部３を上部の支持部材５から離脱させるようにする。これにより、補強部材２は簡単に網戸１から取り外すことができ、補強部材２として幅寸法の異なる数種類のものを用意しておくことにより、任意の大きさの補強部材２に交換して容易に取り付けることができることになる。
【００２７】
なお、本考案は上記実施の形態のみに限定されるものではなく、たとえば、補強部材の係止部３を支持部材５に固定させる手段として、支持部材５のねじ孔５ｂに押え用ねじ６を螺合して、図３（イ）（ロ）に示す如く、ねじ６で係止部３を押えるようにした場合を例示したが、支持部材５の貫通孔５ａ内に挿入した係止部３と該貫通孔５ａの内壁面との間に形成される隙間に相当する厚さ寸法を有するスペーサ部材を用意し、上記係止部３を支持部材５の貫通孔５ａに挿入した後、上記用意したスペーサ部材を上方より上記係止部３に沿わせて貫通孔５ａに挿入して係止部３のがたつきをなくすようにし、押え用ねじ６でスペーサ部材を押え付けるようにしてもよい。又、スペーサ部材として、薄板状のシムを複数枚用意し、該シムを上記支持部材５の開口部５ａと各係止部３との間に順次詰め込むようにして、遊びによるがたつきを無くすようにしてもよい。補強部材２の上端側の係止部３を上記のように支持部材５に固定できるようにすれば、下端側の係止部４については、支持部材５の貫通孔５ａに挿入するだけでもよく、そのために、下側の支持部材５の貫通孔５ａの大きさは、係止部４の断面形状に対応する大きさのものとすることは任意である。
【００２８】
又、支持部材５は、内側に貫通孔５ａを有する直方体のブロック形状として、網戸１の上下の各横框１ａに接着剤等で貼り付けて固定するようにした場合を例示したが、貼り付けることに代えて、接合できるものであれば如何なる方法でもよく、たとえば、図５（イ）（ロ）に一例を示すように、支持部材５をフランジ７ａ付きの支持部材７として、該支持部材７のフランジ７ａの網戸１側となる裏面を図示しない両面テープなどを用いて横框１ａの前側面に貼り付けて、該支持部材７を横框１ａに仮止めし、しかる後、該支持部材７のフランジ７ａを横框１ａに、図５（イ）（ロ）に示す如くビス８にて止めて、支持部材７を網戸１の横框１ａ前側面に固定するようにしてもよい。又、図５（イ）（ロ）に記載された支持部材７の前面側となる一側面に、支持部材７の内面側に貫通する図示しないねじ孔を設けるようにして、支持部材７に係止部３，４を挿入して補強部材２を取り付けた後に、上記ねじ孔に押え用ねじ６を、図３（イ）に示したのと同様に外側から螺合させて、該押え用ねじ６により係止部３，４を押えるようにしてもよい。
【００２９】
更に、補強部材２の断面形状は、建物の壁面に沿って流れる風を室内に誘導できるように形成されていれば如何なる形状のものであってもよいこと、図１乃至図４（イ）（ロ）（ハ）に記載された実施の形態では、支持部材５を網戸１の上下両端部の横框１ａにそれぞれ貼り付けてから該支持部材５に各係止部３，４を取り付けることにより網戸１に本考案の網戸の補強装置を設置する例が示してあるが、たとえば、各係止部３，４を取り付けた状態の支持部材５を、窓枠９のレールから取り外して水平に保持した網戸１の横框１ａにそれぞれに貼り付けるようにして、本考案の網戸の補強装置を網戸１に設置するようにしてもよいこと、本考案の網戸の補強装置を網戸１の幅方向に複数並べて取り付けて、より網戸１の強度を向上させるようにしてもよいこと、図５（イ）（ロ）の実施の形態におけるビス８の本数は、図５（イ）（ロ）に示されているような本数に限定されるものではないこと、本考案の網戸の補強装置の材質を、アルミニウムとすることにより軽量化を図るようにすることが望ましいこと、補強部２を網戸１の上下両端部の横框１ａに取り付ける位置は中央部分に限られず、網戸１の幅方向の片側に偏っていてもよいこと、その他本考案の要旨を逸脱しない範囲内において種々変更を加え得ることは勿論である。
【符号の説明】
【００３０】
１  網戸
１ａ  横框
２  補強部材
２ａ，２ｂ、２ｃ  板部材
２ｄ  円弧面
３  上側の係止部（係止部）
４  下側の係止部（係止部）
５  支持部材
５ａ  貫通孔
７  支持部材
【図１】
0003156050.tif 000003
【図２】
0003156050.tif 000004
【図３】
0003156050.tif 000005
【図４】
0003156050.tif 000006
【図５】
0003156050.tif 000007
【図６】
0003156050.tif 000008